(57)【要約】      （修正有）【課題】安全性を高めたシェルター機能を有する酸素シェルターを提供する。【解決手段】酸素シェルター１の収容部２は、底面板と、左側面板と、右側面板２ｃと、正面板２ｄと、背面板と、天井板２ｆとにより箱形状に構成されている。底面板の外側には、底面板を補強する底面板補強部が設けられ、同様に、左側面板の外側には、左側面板を補強する左側面板補強部、右側面板の外側には、右側面板を補強する右側面板補強部１２、正面板の外側には、正面板を補強する正面板補強部１１ａ〜ｋ、背面板の外側には、背面板を補強する背面板補強部、天井板の外側には、天井板を補強する天井板補強部１０が設けられている。【選択図】図１
0003214036.tif 000002
【実用新案登録請求の範囲】
【請求項１】
利用者を内部に収容可能な金属製の収容部と、
前記収容部に形成された開口部と、
前記開口部を開放及び閉塞可能な扉部と、
前記収容部の内部に酸素を供給する酸素供給部と、
前記収容部の外面に形成され、前記収容部の強度を補強する金属製の外面補強部と、
を備えたことを特徴とする酸素シェルター。
【請求項２】
前記収容部の内面に形成され、前記収容部の強度を補強する金属製の内面補強部と、
を備えていることを特徴とする請求項１に記載の酸素シェルター。
【請求項３】
前記外面補強部は、格子状に形成されていることを特徴とする請求項１または請求項２に記載の酸素シェルター。
【請求項４】
前記酸素供給部は、
前記収容部の内部に供給するための酸素を有する濃縮酸素装置と、
前記濃縮酸素装置の酸素を前記収容部の内部に供給することにより、前記収容部の内部の気圧を制御する気圧制御装置と、
を有することを特徴とする請求項１から請求項３の何れかに記載の酸素シェルター。
【請求項５】
前記外面補強部は、
第１外面補強部と、
前記第１外面補強部とは異なる第２外面補強部を少なくとも有し、
前記第１外面補強部と、前記第２外面補強部は、ビス止めにより結合されていることを特徴とする請求項１から請求項４の何れかに記載の酸素シェルター。
【考案の詳細な説明】
【技術分野】
【０００１】
本考案は、酸素シェルターに関するものである。
【背景技術】
【０００２】
従来では、柔軟性を有する酸素カプセルが知られている（例えば、特許文献１）。このような酸素カプセルは、ＥＶＡ（エチレンビニルアセテイト）樹脂、ウレタン、ナイロン、塩化ビニール等の軟質材で形成されるとともに、酸素カプセルの利用者が出入りする開閉部にファスナを設け、密閉された状態で内部に酸素を供給することで、安価で、かつ軽量化した酸素カプセルを提供することができる。
【先行技術文献】
【特許文献】
【０００３】
【特許文献１】特開２０１１−１０４１３２号公報
【考案の概要】
【考案が解決しようとする課題】
【０００４】
しかしながら、このような酸素カプセルは、軟質材で形成されているため、酸素カプセル自体の強度が優れたものではなく、例えば、酸素カプセルを利用している状態で地震等が発生した場合に、利用者は、酸素カプセルに設けられているファスナを開けてから避難する必要があるため、避難できない虞がある。この結果、酸素カプセルを安全に利用することができないという問題点があった。
【０００５】
本考案は、このような問題点に鑑み、安全性を高めたシェルター機能を有する酸素シェルターを提供することを目的とする。
【課題を解決するための手段】
【０００６】
このような課題を解決するために、本考案に係る酸素シェルターは、利用者を内部に収容可能な金属製の収容部と、前記収容部に形成された開口部と、前記開口部を開放及び閉塞可能な扉部と、前記収容部の内部に酸素を供給する酸素供給部と、前記収容部の外面に形成され、前記収容部の強度を補強する金属製の外面補強部と、を備えたことを特徴とする。
【０００７】
また、本考案に係る酸素シェルターは、前記収容部の内面に形成され、前記収容部の強度を補強する金属製の内面補強部と、を備えていることを特徴とする。
【０００８】
また、本考案に係る酸素シェルターにおいて、前記外面補強部は、格子状に形成されていることを特徴とする。
【０００９】
また、本考案に係る酸素シェルターにおいて、前記酸素供給部は、前記収容部の内部に供給するための酸素を有する濃縮酸素装置と、前記濃縮酸素装置の酸素を前記収容部の内部に供給することにより、前記収容部の内部の気圧を制御する気圧制御装置と、を有することを特徴とする。
【００１０】
前記外面補強部は、第１外面補強部と、前記第１の外面補強部とは異なる第２外面補強部を少なくとも有し、前記第１外面補強部と、前記第２外面補強部は、ビス止めにより結合されていることを特徴とする。
【考案の効果】
【００１１】
本考案によれば、安全性を高めたシェルター機能を有する酸素シェルターを提供することができる。
【図面の簡単な説明】
【００１２】
【図１】酸素シェルターの扉部を閉塞した状態の外観斜視図の一例を示す図である。
【図２】酸素シェルターの扉部を開放した状態の外観斜視図の一例を示す図である。
【図３】収容部の背面図の一例を示す図である。
【図４】収容部の左側面図の一例を示す図である。
【図５】収容部の底面図の一例を示す図である。
【図６】収容部の断面図の一例を示す図である。
【考案を実施するための形態】
【００１３】
以下、本考案の実施形態について図面を参照しながら具体的に説明する。
【００１４】
まず、図１〜図５を用いて、本考案における酸素シェルター１の構成について具体的に説明を行う。なお、図１は、扉部４により開口部３を閉塞した状態の酸素シェルター１の外観を示す図であり、図２は、開口部３が開放された状態の酸素シェルター１の外観を示す図であり、図３は、収容部２の背面図を示す図であり、図４は、収容部２の左側面図を示す図であり、図５は、収容部２の底面図を示す図である。
【００１５】
（酸素シェルター１）
本考案における酸素シェルター１は、収容部２と、気圧制御ユニット６と、濃縮酸素装置７により構成される。
【００１６】
（収容部２）
収容部２は、収容部２の底面に設けられている板状の底面板２ａと、収容部２の左側面に設けられている板状の左側面板２ｂと、収容部２の右側面に設けられている板状の右側面板２ｃと、収容部２の正面側に設けられている板状の正面板２ｄと、収容部２の背面側に設けられている板状の背面板２ｅと、収容部２の天井側に設けられている板状の天井板２ｆとが、例えば、溶接、ビス止めにより結合されることで箱形状に形成されている。また、収容部２は、酸素シェルター１を利用する利用者を収容可能な空間を内部に有している。
【００１７】
また、収容部２の材質は、強度に優れた金属製（例えば、鋼、鉄）となっている。これにより、収容部２の耐重圧性、耐衝撃性が向上するので、収容部２の内部にいる利用者の安全性が向上する。なお、収容部２の材質は、強度に優れた材質であればどのような材質であってもよい。
【００１８】
ここで、本実施形態において、収容部２は、奥行き（Ｄ）が１２０ｃｍ、幅（Ｗ）が２６０ｃｍ、高さ（Ｈ）が１５０ｃｍ程度の大きさとなっており、酸素シェルター１の利用者を複数人収容可能となっているが、収容部２の大きさは、少なくとも１人の利用者を収容可能な大きさであればどのような大きさであってもよい。なお、収容部２の内部には、気圧制御ユニット６に設けられている後述の受話器６ｂと通話可能な受話器（図示せず）が設けられている。
【００１９】
（開口部３）
開口部３は、収容部２の正面板２ｄに設けられており、酸素シェルター１の利用者が収容部２の内部に出入り可能な大きさにより形成されている。ここで、開口部３の大きさは、利用者が出入り可能な大きさであれば、どのような大きさであってもよい。また、開口部３が設けられる位置は、正面板２ｄではなく、他の位置に設けられていてもよい。例えば、開口部が左側面板２ｂや、右側面板２ｃ、背面板２ｅ、天井板２ｆに設けられていてもよい。
【００２０】
（扉部４）
扉部４は、収容部２の正面板２ｄに設けられており、開口部３を開放、及び閉塞可能に設けられている。ここで、扉部４の大きさは、開口部３を閉塞可能な大きさであれば、どのような大きさであってもよい。また、扉部４が設けられる位置は、開口部３が設けられている位置に合わせて、別の位置に設けられていてもよい。なお、本実施形態において、扉部４は、開き戸となっているが、これに限定されることはなく、例えば、引き戸や、折れ戸であってもよい。
【００２１】
（窓部５）
窓部５は、収容部２の正面板２ｄに設けられており、収容部２の外部から収容部２の内部を視認可能とするために設けられている。また、窓部５を設けることにより、収容部２の内部にいる利用者の閉塞感を軽減することができる。ここで、窓部５は、正面板２ｄ以外の位置（例えば、左側面板２ｂ、右側面板２ｃ、背面板２ｅ）に設けられていてもよく、複数設けられていてもよい。なお、窓部５の大きさは、どのような大きさであってもよい。
【００２２】
（気圧制御ユニット６）
気圧制御ユニット６は、収容部２や、濃縮酸素装置７と接続されており、収容部２の内部の気圧を制御するために設けられている。また、気圧制御ユニット６は、気圧制御ユニット６に電力を供給するための気圧制御ユニット用電源ボタン６ａと、収容部２の内部にいる利用者と通話可能な受話器６ｂと、収容部２の内部の気圧を制御するための操作を検出する制御パネル６ｃを有している。
【００２３】
（濃縮酸素装置７）
濃縮酸素装置７は、気圧制御ユニット６と接続されており、濃縮酸素装置７に電力を供給するための濃縮酸素装置用電源ボタン７ａと、濃縮酸素装置７の内部に設けられており、空気中の窒素、及び二酸化炭素を取り除くためのゼオライト（図示せず）を有している。
【００２４】
（酸素シェルター１の利用方法）
ここで、酸素シェルター１の利用方法について説明を行う。まず、気圧制御ユニット用電源ボタン６ａと、濃縮酸素装置用電源ボタン７ａを操作することにより、気圧制御ユニット６と、濃縮酸素装置７の電源をＯＮにする。次に、制御パネル６ｃを操作することにより、気圧制御ユニット６から濃縮酸素装置７に対して収容部２の内部の気圧を制御する制御信号が送信されることとなる。また、濃縮酸素装置７は、外気を取り込み、この取り込んだ外気から、ゼオライトにより窒素、及び二酸化炭素を取り除くことにより、濃度の濃い酸素を精製し、濃度の濃い酸素を気圧制御ユニット６に供給する。そして、気圧制御ユニット６は、濃縮酸素装置７から供給された濃度の濃い酸素を、収容部２の内部に供給する処理を行う。これらにより、収容部２の内部の気圧が制御されることとなる。なお、この後、利用者は、扉部４を開いて収容部２の内部に入り、扉部４を閉めることで酸素シェルター１を利用することとなる。
【００２５】
（外側酸素排出弁８）
外側酸素排出弁８は、正面板２ｄに設けられており、収容部２の内部の酸素を排出するために設けられている。ここで、収容部２の外側から外側酸素排出弁８を操作することにより、収容部２の内部の酸素を排出することができる。
【００２６】
（内側酸素排出弁９）
内側酸素排出弁９は、正面板２ｄに設けられており、外側酸素排出弁８と同様に、収容部２の内部の酸素を排出するために設けられている。ここで、利用者は、収容部２の内部から内側酸素排出弁９を操作することにより、収容部２の内部の酸素を排出することができる。
【００２７】
（天井板補強部１０）
天井板補強部１０は、天井板２ｆの外面に設けられており、天井板２ｆを補強するために格子状に設けられている。また、天井板補強部１０は、天井板２ｆの上方に突出して設けられているので、例えば、地震等で上方から鉄筋や鉄骨構造物が衝突した際であっても、鉄筋や鉄骨構造物が天井板２ｆに衝突する前に、天井板補強部１０に衝突することとなる。これにより、酸素シェルター１の安全性が向上する。ここで、本実施形態において、天井板補強部１０は、第１天井板補強柱１０ａ、第２天井板補強柱１０ｂ、第３天井板補強柱１０ｃ、第４天井板補強柱１０ｄ、第５天井板補強柱１０ｅ、及び第６天井板補強柱１０ｆ（以下、「天井板補強柱」という）により構成されており、天井板補強柱は、溶接、ビス止め等により天井板２ｆと結合される。
【００２８】
また、本実施形態において、第１天井板補強柱１０ａは、第６天井板補強柱１０ｆ、後述の第１正面板補強柱１１ａ、及び後述の第１背面板補強柱１４ａと溶接、ビス止め等により結合されており、第２天井板補強柱１０ｂは、第６天井板補強柱１０ｆ、後述の第２正面板補強柱１１ｂ、及び後述の第２背面板補強柱１４ｂと溶接、ビス止め等により結合されており、第３天井板補強柱１０ｃは、第６天井板補強柱１０ｆ、後述の第３正面板補強柱１１ｃ、及び後述の第３背面板補強柱１４ｃと溶接、ビス止め等により結合されており、第４天井板補強柱１０ｄは、第６天井板補強柱１０ｆ、後述の第４正面板補強柱１１ｄ、及び後述の第４背面板補強柱１４ｄと溶接、ビス止め等により結合されており、第５天井板補強柱１０ｅは、第６天井板補強柱１０ｆ、後述の第５正面板補強柱１１ｅ、及び後述の第５背面板補強柱１４ｅと溶接、ビス止め等により結合されており、第６天井板補強柱１０ｆは、第１天井板補強柱１０ａ、第２天井板補強柱１０ｂ、第３天井板補強柱１０ｃ、第４天井板補強柱１０ｄ、第５天井板補強柱１０ｅ、後述の第１右側面板補強柱１２ａ、及び第１左側面板補強柱１３ａと溶接、ビス止め等により結合されている。
【００２９】
（正面板補強部１１）
正面板補強部１１は、正面板２ｄの外面に設けられており、正面板２ｄを補強するために格子状に設けられている。また、正面板補強部１１は、正面板２ｄの正面視手前方向に突出して設けられているので、例えば、地震等で正面側から鉄筋や鉄骨構造物が衝突した際であっても、鉄筋や鉄骨構造物が正面板２ｄに衝突する前に、正面板補強部１１に衝突することとなる。これにより、酸素シェルター１の安全性が向上する。ここで、本実施形態において、正面板補強部１１は、第１正面板補強柱１１ａと、第２正面板補強柱１１ｂと、第３正面板補強柱１１ｃと、第４正面板補強柱１１ｄと、第５正面板補強柱１１ｅと、第６正面板補強柱１１ｆと、第７正面板補強柱１１ｇと、第８正面板補強柱１１ｈと、第９正面板補強柱１１ｉと、第１０正面板補強柱１１ｊ、及び第１１正面板補強柱１１ｋ（以下、「正面板補強柱」という）により構成されており、正面板補強柱は、溶接、ビス止め等により正面板２ｄと結合される。
【００３０】
また、本実施形態において、第１正面板補強柱１１ａは、第１天井板補強柱１０ａ、第６正面板補強柱１１ｆ、第１０正面板補強柱１１ｊ、及び後述の第１底面板補強柱１５ａと溶接、ビス止め等により結合されており、第２正面板補強柱１１ｂは、第２天井板補強柱１０ｂ、及び第６正面板補強柱１１ｆと溶接、ビス止め等により結合されており、第３正面板補強柱１１ｃは、第３天井板補強柱１０ｃ、第６正面板補強柱１１ｆ、第７正面板補強柱１１ｇ、第８正面板補強柱１１ｈ、第９正面板補強柱１１ｉ、第１０正面板補強柱１１ｊ、及び後述の第３底面板補強柱１５ｃと溶接、ビス止め等により結合されており、第４正面板補強柱１１ｄは、第４天井板補強柱１０ｄ、第７正面板補強柱１１ｇ、第８正面板補強柱１１ｈ、及び第９正面板補強柱１１ｉ、及び後述の第４底面板補強柱１５ｄと溶接、ビス止め等により結合されており、第５正面板補強柱１１ｅは、第５天井板補強柱１０ｅ、第８正面板補強柱１１ｈ、第９正面板補強柱１１ｉ、及び後述の第５底面板補強柱１５ｅと溶接、ビス止め等により結合されている。
【００３１】
また、第６正面板補強柱１１ｆは、第１正面板補強柱１１ａ、第２正面板補強柱１１ｂ、及び第３正面板補強柱１１ｃと溶接、ビス止め等により結合されており、第７正面板補強柱１１ｇは、第３正面板補強柱１１ｃ、及び第４正面板補強柱１１ｄと溶接、ビス止め等により結合されており、第８正面板補強柱１１ｈは、第３正面板補強柱１１ｃ、第４正面板補強柱１１ｄ、及び第５正面板補強柱１１ｅと溶接、ビス止め等により結合されており、第９正面板補強柱１１ｉは、第３正面板補強柱１１ｃ、第４正面板補強柱１１ｄ、及び第５正面板補強柱１１ｅと溶接、ビス止め等により結合されており、第１０正面板補強柱１１ｊは、第１正面板補強柱１１ａ、第３正面板補強柱１１ｃ、及び第１１正面板補強柱１１ｋと溶接、ビス止め等により結合されており、第１１正面板補強柱１１ｋは、第１０正面板補強柱１１ｊ、及び後述の第２底面板補強柱１５ｂと溶接、ビス止め等により結合されている。
【００３２】
（右側面板補強部１２）
右側面板補強部１２は、右側面板２ｃの外面に設けられており、右側面板２ｃを補強するために設けられている。また、右側面板補強部１２は、右側面板２ｃの右外側方向に突出して設けられているので、例えば、地震等で右側方から鉄筋や鉄骨構造物が衝突した際であっても、鉄筋や鉄骨構造物が右側面板２ｃに衝突する前に、右側面板補強部１２に衝突することとなる。これにより、酸素シェルター１の安全性が向上する。ここで、本実施形態において、右側面板補強部１２は、第１右側面板補強柱１２ａにより構成されており、溶接、ビス止め等により右側面板２ｃと結合される。また、第１右側面板補強柱１２ａは、第６天井板補強柱１０ｆ、及び後述の第６底面板補強柱１５ｆと溶接、ビス止め等により結合されている。
【００３３】
（左側面板補強部１３）
左側面板補強部１３は、左側面板２ｂの外面に設けられており、左側面板２ｂを補強するために設けられている。また、左側面板補強部１３は、左側面板２ｂの左外側方向に突出して設けられているので、例えば、地震等で左側方から鉄筋や鉄骨構造物が衝突した際であっても、鉄筋や鉄骨構造物が左側面板２ｂに衝突する前に、左側面板補強部１３に衝突することとなる。これにより、酸素シェルター１の安全性が向上する。ここで、本実施形態において、左側面板補強部１３は、第１左側面板補強柱１３ａにより構成されており、溶接、ビス止め等により左側面板２ｂと結合される。また、第１左側面板補強柱１３ａは、第６天井板補強柱１０ｆ、及び後述の第６底面板補強柱１５ｆと溶接、ビス止め等により結合されている。
【００３４】
（背面板補強部１４）
背面板補強部１４は、背面板２ｅの外面に設けられており、背面板２ｅを補強するために格子状に設けられている。また、背面板補強部１４は、背面板２ｅの背面外側方向に突出して設けられているので、例えば、地震等で背面方向から鉄筋や鉄骨構造物が衝突した際であっても、鉄筋や鉄骨構造物が背面板２ｅに衝突する前に、背面板補強部１４に衝突することとなる。これにより、酸素シェルター１の安全性が向上する。ここで、本実施形態において、背面板補強部１４は、第１背面板補強柱１４ａと、第２背面板補強柱１４ｂと、第３背面板補強柱１４ｃと、第４背面板補強柱１４ｄと、第５背面板補強柱１４ｅと、第６背面板補強柱１４ｆと、第７背面板補強柱１４ｇ（以下、「背面板補強柱」という）とにより構成されており、背面板補強柱は、溶接、ビス止め等により背面板２ｅと結合される。
【００３５】
ここで、第１背面板補強柱１４ａは、第１天井板補強柱１０ａ、第６背面板補強柱１４ｆ、第７背面板補強柱１４ｇ、及び後述の第１底面板補強柱１５ａと溶接、ビス止め等により結合されており、第２背面板補強柱１４ｂは、第２天井板補強柱１０ｂ、第６背面板補強柱１４ｆ、第７背面板補強柱１４ｇ、及び後述の第２底面板補強柱１５ｂと溶接、ビス止め等により結合されており、第３背面板補強柱１４ｃは、第３天井板補強柱１０ｃ、第６背面板補強柱１４ｆ、第７背面板補強柱１４ｇ、及び後述の第３底面板補強柱１５ｃと溶接、ビス止め等により結合されており、第４背面板補強柱１４ｄは、第４天井板補強柱１０ｄ、第６背面板補強柱１４ｆ、第７背面板補強柱１４ｇ、及び後述の第４底面板補強柱１５ｄと溶接、ビス止め等により結合されており、第５背面板補強柱１４ｅは、第５天井板補強柱１０ｅ、第６背面板補強柱１４ｆ、第７背面板補強柱１４ｇ、及び後述の第５底面板補強柱１５ｅと溶接、ビス止め等により結合されており、第６背面板補強柱１４ｆは、第１背面板補強柱１４ａ、第２背面板補強柱１４ｂ、第３背面板補強柱１４ｃ、第４背面板補強柱１４ｄ、及び第５背面板補強柱１４ｅと溶接、ビス止め等により結合されており、第７背面板補強柱１４ｇは、第１背面板補強柱１４ａ、第２背面板補強柱１４ｂ、第３背面板補強柱１４ｃ、第４背面板補強柱１４ｄ、及び第５背面板補強柱１４ｅと溶接、ビス止め等により結合されている。
【００３６】
（底面板補強部１５）
底面板補強部１５は、底面板２ａの外面に設けられており、底面板２ａを補強するために格子状に設けられている。また、底面板補強部１５は、底面板２ａの下方向に突出して設けられているので、例えば、地震等で下方から鉄筋や鉄骨構造物が衝突した際であっても、鉄筋や鉄骨構造物が底面板２ａに衝突する前に、底面板補強部１５に衝突することとなる。これにより、酸素シェルター１の安全性が向上する。ここで、本実施形態において、底面板補強部１５は、第１底面板補強柱１５ａと、第２底面板補強柱１５ｂと、第３底面板補強柱１５ｃと、第４底面板補強柱１５ｄと、第５底面板補強柱１５ｅと、第６底面板補強柱１５ｆ（以下、「底面板補強柱」という）により構成されており、底面板補強柱は、溶接、ビス止め等により底面板２ａと結合される。
【００３７】
ここで、第１底面板補強柱１５ａは、第１正面板補強柱１１ａ、第１背面板補強柱１４ａ、及び第６底面板補強柱１５ｆと溶接、ビス止め等により結合されており、第２底面板補強柱１５ｂは、第２正面板補強柱１１ｂ、第２背面板補強柱１４ｂ、及び第６底面板補強柱１５ｆと溶接、ビス止め等により結合されており、第３底面板補強柱１５ｃは、第３正面板補強柱１１ｃ、第３背面板補強柱１４ｃ、及び第６底面板補強柱１５ｆと溶接、ビス止め等により結合されており、第４底面板補強柱１５ｄは、第４正面板補強柱１１ｄ、第４背面板補強柱１４ｄ、及び第６底面板補強柱１５ｆと溶接、ビス止め等により結合されており、第５底面板補強柱１５ｅは、第５正面板補強柱１１ｅ、第５背面板補強柱１４ｅ、及び第６底面板補強柱１５ｆと溶接、ビス止め等により結合されており、第６底面板補強柱１５ｆは、第１右側面板補強柱１２ａ、第１左側面板補強柱１３ａ、第１底面板補強柱１５ａ、第２底面板補強柱１５ｂ、第３底面板補強柱１５ｃ、第４底面板補強柱１５ｄ、及び第５底面板補強柱１５ｅと溶接、ビス止め等により結合されている。
【００３８】
なお、天井板補強部１０、正面板補強部１１、右側面板補強部１２、左側面板補強部１３、背面板補強部１４、及び底面板補強部１５を総称して、「外面補強部」という。
【００３９】
ここで、本実施形態において、外面補強部は、強度に優れた金属製（例えば、鋼、鉄）となっている。これにより、収容部２の耐重圧性、耐衝撃性が向上するので、収容部２の内部にいる利用者の安全性が向上する。なお、外面補強部の材質は、強度に優れた材質であれば、どのような材質であってもよい。
【００４０】
また、本実施形態において、天井板補強部１０、正面板補強部１１、背面板補強部１４、底面板補強部１５は、格子状となっているが、これに限定されることはなく、格子状でなくてもよい。具体的に天井板補強部１０を用いて例示するが、第１天井板補強柱１０ａ、第２天井板補強柱１０ｂ、第３天井板補強柱１０ｃ、第４天井板補強柱１０ｄ、及び第５天井板補強柱１０ｅで、天井板２ｆを外面から補強することとしてもよい。
【００４１】
（収容部２の内面）
次に、図６を用いて、収容部の断面図についての説明を行う。なお、図６は、図１のＸ方向の断面図である。
【００４２】
（左側面板内面補強部１６）
左側面板内面補強部１６は、収容部２の内面に設けられており、左側面板２ｂを内面から補強するために設けられている。ここで、本実施形態において、左側面板内面補強部１６は、第１左側面板内面補強柱１６ａと、第２左側面板内面補強柱１６ｂと、第３左側面板内面補強柱１６ｃと、第４左側面板内面補強柱１６ｄにより構成されており、溶接、ビス止め等により左側面板２ｂと結合される。
【００４３】
また、図示は省略するが、底面板２ａの内面、右側面板２ｃの内面、正面板２ｄの内面、背面板２ｅの内面、及び天井板２ｆの内面には、左側面板内面補強部１６と同様に、底面板内面補強部（図示せず）、右側面板内面補強部（図示せず）、正面板内面補強部（図示せず）、背面板内面補強部（図示せず）、及び天井板内面補強部（図示せず）が設けられている。
【００４４】
また、底面板内面補強部は、左側面板内面補強部１６と同様に、第１底面板内面補強部〜第４底面板内面補強部（図示せず）により構成されており、溶接、ビス止め等により底面板２ａと結合される。また、右側面板内面補強部は、左側面板内面補強部１６と同様に、第１右側面板内面補強部〜第４右側面板内面補強部（図示せず）により構成されており、溶接、ビス止め等により右側面板２ｃと結合される。また、正面板内面補強部は、左側面板内面補強部１６と同様に、第１正面板内面補強部〜第４正面板内面補強部（図示せず）により構成されており、溶接、ビス止め等により正面板２ｄと結合される。また、背面板内面補強部は、左側面板内面補強部１６と同様に、第１背面板内面補強部〜第４背面板内面補強部（図示せず）により構成されており、溶接、ビス止め等により背面板２ｅと結合される。また、天井板内面補強部は、左側面板内面補強部１６と同様に、第１天井板内面補強部〜第４天井板内面補強部（図示せず）により構成されており、溶接、ビス止め等により天井板２ｆと結合される。
【００４５】
また、左側面板内面補強部１６、底面板内面補強部、右側面板内面補強部、正面板内面補強部、背面板内面補強部、天井板内面補強部を総称して「内面補強部」という。
【００４６】
なお、内面補強部は、外面補強部と同様に、強度に優れた金属製（例えば、鋼、鉄）となっている。これにより、収容部２の耐重圧性、耐衝撃性が向上するので、収容部２の内部にいる利用者の安全性が向上する。なお、内面補強部の材質は、強度に優れた材質であれば、どのような材質であってもよい。
【００４７】
また、本実施形態において、内面補強部は、それぞれがＸ字状となっているが、これに限定されることはなく、収容部２を補強することが可能であれば、どのように設けられていてもよい。具体的には、左側面板内面補強部１６で例示するが、第１左側面板内面補強柱１６ａと、第４左側面板内面補強柱１６ｄのみで、左側面板２ｂの内面から補強することとしてもよい。
【００４８】
このように、本考案によれば、収容部２の外面に外面補強部を設けることにより、収容部２の耐重圧性、及び耐衝撃性が向上することから、安全性を高めたシェルター機能を有する酸素シェルター１を提供することができる。
【００４９】
特に、防災機器は、地震等の災害が起こった場合にのみ使用するものであるから、費用対効果が低いという問題点や、地震等が起こっていない状態で防災機器を設置しておくと場所を取ってしまうため、邪魔になってしまうという問題点がある。これに対して、本考案は、地震等が起こっていない状態では酸素ルームとして使用することができるとともに、地震等が起こった場合には防災シェルターとして使用することができるので、費用対効果を高めることができるとともに、無駄に場所を取ってしまうこともない。
【００５０】
なお、本発明によれば、収容部２や、外面補強部の材質は、強度に優れた金属製となっているので、防爆効果についても期待することができる。
【００５１】
また、本考案によれば、収容部２の外面に外面補強部を設けるとともに、収容部２の内面に内面補強部を設けることにより、外面補強部のみを設けた場合と比較して、収容部２の耐重圧性、及び耐衝撃性をさらに向上させることができるので、安全性を高めたシェルター機能を有する酸素シェルター１を提供することができる。
【００５２】
また、本考案によれば、外面補強部が格子状に形成されていることから、収容部２の耐重圧性、及び耐衝撃性をさらに向上させることができるので、安全性を高めたシェルター機能を有する酸素シェルター１を提供することができる。
【００５３】
また、本考案によれば、気圧制御ユニット６と、濃縮酸素装置７を設けることにより、収容部２の内部の気圧を制御しつつ、収容部２の内部に酸素を供給することができる。
【００５４】
また、本考案によれば、一の外面補強部と、一の外面補強部とは異なる他の外面補強部がビス止めにより結合されることにより、外面補強部を強固に結合することができることから、収容部２の耐重圧性、耐衝撃性が向上する。
【００５５】
なお、本実施形態において、「収容部２」は、本考案の「収容部」を構成する。
【００５６】
また、本実施形態において、「開口部３」は、本考案の「開口部」を構成する。
【００５７】
また、本実施形態において、「扉部４」は、本考案の「扉部」を構成する。
【００５８】
また、本実施形態において、「気圧制御ユニット６」や、「濃縮酸素装置７」は、本考案の「酸素供給部」を構成する。
【００５９】
また、本実施形態において、「天井板補強部１０」、「正面板補強部１１」、「右側面板補強部１２」、「左側面板補強部１３」、「背面板補強部１４」、「底面板補強部１５」は、本考案の「外面補強部」を構成する。
【００６０】
また、本実施形態において、「底面板内面補強部」、「左側面板内面補強部１６」、「右側面板内面補強部」、「正面板内面補強部」、「背面板内面補強部」、「天井板内面補強部」は、本考案の「内面補強部」を構成する。
【００６１】
また、本実施形態において、「濃縮酸素装置７」は、本考案の「濃縮酸素装置」を構成する。
【００６２】
また、本実施形態において、「気圧制御ユニット６」は、本考案の「気圧制御装置」を構成する。
【００６３】
また、本実施形態において、「第１正面板補強柱１１ａ」は、本考案の「第１外面補強部」を構成する。
【００６４】
また、本実施形態において、「第１背面板補強柱１４ａ」は、本考案の「第２外面補強部」を構成する。
【００６５】
なお、第１外面補強部と、第２外面補強部は、別の補強柱であってもよい。
【００６６】
なお、上記実施形態や変形例で示した事項は、あくまで一例に過ぎず、本考案の範囲を逸脱しない範囲で、適宜変更可能である。
【符号の説明】
【００６７】
１      酸素シェルター
２      収容部
２ａ    底面板
２ｂ    左側面板
２ｃ    右側面板
２ｄ    正面板
２ｅ    背面板
２ｆ    天井板
３      開口部
４      扉部
５      窓部
６      気圧制御ユニット
６ａ    気圧制御ユニット用電源ボタン
６ｂ    受話器
６ｃ    制御パネル
７      濃縮酸素装置
７ａ    濃縮酸素装置用電源ボタン
８      外側酸素排出弁
９      内側酸素排出弁
１０    天井板補強部
１０ａ  第１天井板補強柱
１０ｂ  第２天井板補強柱
１０ｃ  第３天井板補強柱
１０ｄ  第４天井板補強柱
１０ｅ  第５天井板補強柱
１０ｆ  第６天井板補強柱
１１    正面板補強部
１１ａ  第１正面板補強柱
１１ｂ  第２正面板補強柱
１１ｃ  第３正面板補強柱
１１ｄ  第４正面板補強柱
１１ｅ  第５正面板補強柱
１１ｆ  第６正面板補強柱
１１ｇ  第７正面板補強柱
１１ｈ  第８正面板補強柱
１１ｉ  第９正面板補強柱
１１ｊ  第１０正面板補強柱
１１ｋ  第１１正面板補強柱
１２    右側面板補強部
１２ａ  第１右側面板補強柱
１３    左側面板補強部
１３ａ  第１左側面板補強柱
１４    背面板補強部
１４ａ  第１背面板補強柱
１４ｂ  第２背面板補強柱
１４ｃ  第３背面板補強柱
１４ｄ  第４背面板補強柱
１４ｅ  第５背面板補強柱
１４ｆ  第６背面板補強柱
１４ｇ  第７背面板補強柱
１５    底面板補強部
１５ａ  第１底面板補強柱
１５ｂ  第２底面板補強柱
１５ｃ  第３底面板補強柱
１５ｄ  第４底面板補強柱
１５ｅ  第５底面板補強柱
１５ｆ  第６底面板補強柱
１６    左側面板内面補強部
１６ａ  第１左側面板内面補強柱
１６ｂ  第２左側面板内面補強柱
１６ｃ  第３左側面板内面補強柱
１６ｄ  第４左側面板内面補強柱
【図１】
0003214036.tif 000003
【図２】
0003214036.tif 000004
【図３】
0003214036.tif 000005
【図４】
0003214036.tif 000006
【図５】
0003214036.tif 000007
【図６】
0003214036.tif 000008